(57)【要約】【課題】風が強いときでも軒樋に雨水を導くことが容易で、かつ風に強い軒先水切りおよびこれを用いた軒先構造を提供する。【解決手段】実施形態の一例である軒先構造５は、軒先水切り３０を用いて構成される。軒先水切り３０は、軒先面戸１０と野地板２との間に配置され、野地板２に固定された基部３１と、野地板２の軒側端から軒樋２０の直上に張り出した延出部３２とを有する。延出部３２は、野地板２の軒側端から軒先面戸１０の下端を超えて下方に延びる第１延出部３２と、第１延出部３２の下端から軒樋２０の先端側に延びる第２延出部３３と、第２延出部３３の先端から下方に延びる第３延出部３４とで構成されている。各延出部の境界には、折曲部がそれぞれ形成されている。【選択図】図２
2019007234.tif 000002
【特許請求の範囲】
【請求項１】
凹凸屋根材の凸部の軒側開口を塞ぐ軒先面戸と、屋根の軒端に沿って取り付けられる軒樋とを備えた軒先構造に用いられる軒先水切りであって、
前記軒先面戸と野地板との間に配置される基部と、
前記野地板の軒側端から前記軒樋の直上に張り出す延出部と、
を有し、
前記延出部は、
前記野地板の軒側端から前記軒先面戸の下端を超えて下方に延びる第１延出部と、
前記第１延出部の下端から前記軒樋の先端側に延びる第２延出部と、
前記第２延出部の先端から下方に延びる第３延出部と、
で構成され、前記各延出部の境界には折曲部がそれぞれ形成されている、軒先水切り。
【請求項２】
請求項１に記載の軒先水切りを用いた軒先構造であって、
前記軒先水切りは、前記基部が前記野地板に固定され、前記延出部が前記軒樋の直上に張り出している、軒先構造。
【請求項３】
前記軒先面戸は、前記凹凸屋根材の軒側端に対応する位置から前記軒樋の直上に張り出した鍔部を有し、
前記軒先水切りの前記第２延出部が、水平方向において、前記鍔部の先端の位置を超えて前記軒樋の先端側に延びている、請求項２に記載の軒先構造。
【請求項４】
前記屋根の勾配が６寸以上である、請求項２または３に記載の軒先構造。
【発明の詳細な説明】
【技術分野】
【０００１】
本開示は、軒先水切りおよび当該水切りを用いた軒先構造に関する。
【背景技術】
【０００２】
従来、屋根の桁方向に沿って凹凸が交互に形成された凹凸屋根材が知られている。凹凸屋根材を用いる場合、屋根の軒先には、凹凸屋根材の凸部の軒側開口を塞ぐ軒先面戸が設置され、また軒先面戸の下には軒先水切りが設置される。例えば、特許文献１には、凹凸屋根材が野地板の軒側端縁よりも屋外側に突出した出代部を有し、出代部の下端から所定距離下方に離間して配置される隙間形成片を有する軒先水切りが設けられた屋根構造（軒先構造）が開示されている。
【０００３】
一般的に、屋根の軒先には鼻隠しが設けられ、鼻隠しには軒樋が取り付けられる。軒樋は、軒先構造の意匠性等を考慮して、野地板の延長線上またはその近傍に軒樋の先端が位置するように取り付けられる。
【先行技術文献】
【特許文献】
【０００４】
【特許文献１】特開２０１４−９５２３９号公報
【発明の概要】
【発明が解決しようとする課題】
【０００５】
ところで、特許文献１に開示されるような従来の軒先構造では、特に風が強くなると、軒先水切りの下端から軒樋に落下すべき雨水が軒樋から外れて、例えば鼻隠しと軒樋の間から落下する場合がある。軒先水切りを下方に長く延ばすことで雨水を軒樋に導き易くなるが、この場合、風を受ける面積が大きくなるため、例えば軒先水切りおよびこれを用いた軒先構造の風に対する強度が問題となり得る。
【０００６】
本開示の目的は、風が強いときでも軒樋に雨水を導くことが容易で、かつ風に強い軒先水切りおよびこれを用いた軒先構造を提供することである。
【課題を解決するための手段】
【０００７】
本開示の一態様である軒先水切りは、凹凸屋根材の凸部の軒側開口を塞ぐ軒先面戸と、屋根の軒端に沿って取り付けられる軒樋とを備えた軒先構造に用いられる軒先水切りであって、前記軒先面戸と野地板との間に配置される基部と、前記野地板の軒側端から前記軒樋の直上に張り出す延出部とを有し、前記延出部は、前記野地板の軒側端から前記軒先面戸の下端を超えて下方に延びる第１延出部と、前記第１延出部の下端から前記軒樋の先端側に延びる第２延出部と、前記第２延出部の先端から下方に延びる第３延出部とで構成され、前記各延出部の境界には折曲部がそれぞれ形成されていることを特徴とする。
【０００８】
本開示の一態様である軒先構造は、上記軒先水切りを用いた軒先構造であって、前記軒先水切りは、前記基部が前記野地板に固定され、前記延出部が前記軒樋の直上に張り出していることを特徴とする。
【発明の効果】
【０００９】
本開示の一態様である軒先水切りによれば、風が強いときでも軒樋に雨水を導くことが容易で、かつ風に強い軒先構造を提供できる。
【図面の簡単な説明】
【００１０】
【図１】実施形態の一例である軒先構造を示す図である。
【図２】図１中のＡＡ線断面図である。
【図３】実施形態の一例である軒先構造の施工過程を示す図である。
【図４】実施形態の一例である軒先水切りの斜視図である。
【図５】従来の軒先水切りを用いた軒先構造を示す断面図である。
【発明を実施するための形態】
【００１１】
以下、図面を参照しながら、本開示に係る軒先水切りおよび当該水切りを用いた軒先構造の実施形態の一例について詳細に説明する。本明細書において、軒先構造とは、建築物の屋根の軒先およびその近傍の構造を意味する。また、屋根の軒先とは、屋根の軒端であって、建築物の外壁よりも外側に張り出した部分である軒の先端部分を意味する。
【００１２】
図１は実施形態の一例である軒先構造５の斜視図、図２は図１中のＡＡ線断面図である。図１及び図２に例示するように、軒先構造５は、軒先水切り３０を用いて構成され、軒先水切り３０の基部３１が野地板２の軒先に固定されてなる。軒先構造５は、凹凸屋根材３の凸部３ａの軒側開口３ｃ（図３参照）を塞ぐ軒先面戸１０と、屋根１の軒端に沿って取り付けられた軒樋２０と、軒先面戸１０の下に配置された軒先水切り３０とを備える。軒先面戸１０は、軒先水切り３０と同様に、野地板２の軒先に固定される。本実施形態では、屋根１の軒先に鼻隠し４が設けられ、鼻隠し４に軒樋２０が取り付けられている。
【００１３】
屋根１の下地は、垂木等の建築躯体上に野地板２を設けることで形成されている。野地板２は、棟側から軒側に向かって一様な角度で下り傾斜している。野地板２の軒側端部は、外壁（図示せず）よりも外側に張り出し、当該張出部が屋根１の軒を形成する。軒先構造５は、上述の通り、屋根１の軒先およびその近傍の構造である。屋根１の勾配は特に限定されないが、軒先構造５の構成は、屋根１の勾配が６寸以上である場合に特に好ましい。軒先構造５において、好適な屋根１の勾配の一例は６寸〜８寸である。
【００１４】
屋根１の軒先に設けられる鼻隠し４は、垂木の先端を隠すための横板である。鼻隠し４は、屋根１の軒端に沿って設けられ、軒樋２０の設置場所となる。なお、野地板２の軒側端部は、鼻隠し４よりも建築物の外側に張り出していることが好ましい。鼻隠し４の外面には、雨水等による劣化を防ぐための板金４ａが取り付けられていてもよい。
【００１５】
凹凸屋根材３は、屋根１の軒棟方向に直交する桁方向に凹凸が交互に形成された屋根材である。屋根１は、野地板２上に凹凸屋根材３を配置して構成され、例えば桁方向に複数の凹凸屋根材３が設けられる。凹凸屋根材３の凸部３ａは、略平坦な天板部と、天板部の幅方向両端から下方に延びる側壁部とで形成される。また、凹凸屋根材３の凹部３ｂは、略平坦な底板部と、底板部の幅方向両端から上方に延びる側壁部とで形成される。当該側壁部は凸部３ａと凹部３ｂとで共有され、凹凸屋根材３は、天板部と底板部が側壁部を介して連結された構造を有する。
【００１６】
複数の凸部３ａは、互いに略同じ幅を有し、屋根１の桁方向に略等間隔で形成されることが好ましい。凸部３ａは、例えば太陽電池パネル等を取り付ける際に固定部として使用できる。野地板２と凹凸屋根材３との間には、野地板２と凸部３ａとで囲まれた空間３ｄが形成され、凸部３ａの軒側端部には軒側開口３ｃ（図３参照）が形成される。凸部３ａおよび凹部３ｂは、一般的に、凹凸屋根材３の軒棟方向の全長にわたって形成される。
【００１７】
凹凸屋根材３の軒側端部の下には、軒先面戸１０が配置される。凹凸屋根材３の軒側端部は、軒先面戸１０を介して野地板２に固定され、野地板２の軒側端を超えて建築物の外側に張り出していることが好ましい。軒先面戸１０のうち、凸部３ａと重なる位置には開口部１６が存在する。これにより、凹凸屋根材３の軒側端部には、空間３ｄと連通した通気孔３ｅが形成される。空間３ｄの棟側にも通気孔（図示せず）が存在するため、野地板２と凹凸屋根材３との間の良好な通気性が確保される。詳しくは後述するが、軒先面戸１０の下に配置される軒先水切り３０は、通気孔３ｅを塞がない構造を有する。
【００１８】
軒先構造５は、上述の通り、軒先面戸１０と、軒樋２０と、軒先水切り３０とを備える。以下、図１および図２に加えて、図３および図４を適宜参照しながら、軒先構造５の各構成要素について、特に軒先水切り３０について詳説する。図３は軒先構造５の施工過程を示す図、図４は軒先水切り３０の斜視図である。なお、野地板２の軒側端部、凹凸屋根材３の軒側端部、および鼻隠し４は、軒先構造５を構成する。
【００１９】
図１〜図３に示すように、凹凸屋根材３の軒側端部は野地板２に固定された軒先面戸１０上に配置され、野地板２と軒先面戸１０との間に軒先水切り３０が介在している。図３に示す例では、屋根１の桁方向両端にのぼり木６が設けられており、のぼり木６に沿って、けらば水切り７が取り付けられている。けらば水切り７の軒側端部は軒先面戸１０上に配置され、けらば水切り７上に凹凸屋根材３が配置される。なお、軒先構造５は、軒先水切り３０、軒先面戸１０、けらば水切り７の順でこれらを野地板２に固定し、凹凸屋根材３を取り付けた後、軒樋２０を鼻隠し４に固定して構築される。
【００２０】
軒先面戸１０は、細長い板状の部材であって、長手方向が屋根１の桁方向に沿うように野地板２の軒側端部に固定される。野地板２の軒側端部には、複数の軒先面戸１０が桁方向に並んで取り付けられる。軒先面戸１０の構成材料は特に限定されないが、鋼板等の金属板で構成されることが好ましい。軒先面戸１０は、野地板２に固定される基板部１１と、凹凸屋根材３の凸部３ａの軒側開口３ｃを塞ぐ面戸部１２とを有する。基板部１１は、例えば軒先水切り３０と重ならない棟側部分にネジ１７を取り付けることで野地板２に固定される。なお、ネジの代わりに釘を用いてもよい。
【００２１】
面戸部１２は、基板部１１上に立設した立ち上がり部であって、軒先面戸１０を構成する金属板を切り起こして形成されることが好ましい。面戸部１２は、凹凸屋根材３の凸部３ａの軒側開口３ｃを塞ぐことが可能な形状、寸法で形成される。面戸部１２は、凸部３ａに合わせて桁方向に略等間隔で形成される。面戸部１２を切り起こした部分には開口部１６が形成され、開口部１６の一部が野地板２の軒側端から外側にはみ出して上記通気孔３ｅとなる。
【００２２】
軒先面戸１０は、面戸部１２の上端から棟側に延びて凸部３ａの天板部に引っ掛かる爪部１３を有する。凹凸屋根材３の軒側端部は、爪部１３によって軒先面戸１０に固定される。凸部３ａの天板部は、爪部１３にネジ止めされていてもよい。また、軒先面戸１０は、基板部１１上に立設して面戸部１２に対向配置された凸部１４を有することが好ましい。凸部１４は、開口部１６の縁部において金属板を切り起こして形成される。凸部１４の高さは面戸部１２の高さよりも低く、凸部１４は凹凸屋根材３の空間３ｄに挿し込まれて凹凸屋根材３の桁方向の位置合わせに使用される。
【００２３】
軒先面戸１０は、面戸部１２に対応する位置から軒樋２０の直上に張り出した鍔部１５を有する。鍔部１５は、雨水を軒樋２０に導くための水切りとして機能する。鍔部１５は、野地板２の延長線α上に沿って延出し、途中で下方に折れ曲がった形状を有する。鍔部１５をつたって流れる雨水は、通常、軒先水切り１０を介して軒樋２０内に落下する。
【００２４】
図２に示すように、軒樋２０は、屋根１の軒端に沿って設けられ、固定金具２４およびネジ２５を用いて鼻隠し４に固定されている。軒樋２０は、軒先構造５の意匠性等を考慮して、野地板２の延長線α上またはその近傍に軒樋２０の先端２０ａが位置するように取り付けられることが好ましい。軒樋２０は、底板２１、前壁２２、および後壁２３を有し、軒樋２０の幅が先端２０ａに近づくほど広くなるように前壁２２が外側に傾斜し、後壁２３が底板２１に対して略垂直に立設した形状を呈する。固定金具２４は、前壁２２および後壁２３の上端部に係合している。
【００２５】
軒樋２０の出寸法Ｌは、例えば軒樋２０の上幅Ｗの１／２〜２／３に設定される。ここで、出寸法Ｌとは、屋根１（凹凸屋根材３）の軒端から軒樋２０の先端２０ａまでの水平方向に沿った長さである。軒樋上幅Ｗとは、前壁２２の上端から後壁２３の上端までの水平方向に沿った長さである。また、先端２０ａは、鼻隠し４と反対側に位置する前壁２２の最も外側に位置する端であり、本実施形態では軒樋２０の上端でもある。
【００２６】
図１〜図４に示すように、軒先水切り３０は、軒先面戸１０と野地板２との間に配置される基部３１（図２，４参照）と、野地板２の軒側端から軒樋２０の直上に張り出す延出部３２とを有する。軒先水切り３０は、凹凸屋根材３および軒先面戸１０の上を流れる雨水を軒樋２０に導くための部材である。凹凸屋根材３の上を流れる雨水は、例えば軒先面戸１０および軒先水切り３０を介して軒樋２０に落下する。詳しくは後述するが、延出部３２を有する軒先水切り３０によれば、風が強いときでも軒樋２０内に雨水を導くことが容易である。
【００２７】
軒先水切り３０は、複数の折曲部が形成された板状の部材であって、野地板２の軒側端部に固定される。折曲部はいずれも、屋根１の桁方向に沿って形成されている。軒先水切り３０は、例えば軒先面戸１０と同程度の桁方向長さを有する。野地板２の軒側端部には、複数の軒先水切り３０が桁方向に並んで取り付けられる。軒先水切り３０の構成材料は特に限定されないが、鋼板等の金属板で構成されることが好ましい。
【００２８】
基部３１は、軒棟方向よりも桁方向に長い平坦な板状に形成され、野地板２に沿って配置される。図２に例示するように、基部３１の軒棟方向長さは、軒先面戸１０の基板部１１の軒棟方向長さよりも短い。ただし、基部３１の棟側端は、軒先面戸１０の凸部１４と重なる位置よりもやや棟側に位置し、軒先面戸１０の開口部１６のうち野地板２上に位置する領域の下には基部３１が存在する。基部３１は、図示しないネジまたは釘を用いて野地板２に固定される。基板部１１および基部３１には、リベット用の孔が形成されていてもよく、当該孔に取り付けられるリベットを用いて連結されていてもよい。
【００２９】
延出部３２は、野地板２の軒側端から軒先面戸１０の下端を超えて下方に延びる第１延出部３３と、第１延出部３３の下端から軒樋２０の先端側に延びる第２延出部３４と、第２延出部３４の先端から下方に延びる第３延出部３５とで構成される。本実施形態では、鍔部１５の先端が軒先面戸１０の先端および下端となる。延出部３２を構成する各延出部の境界には、折曲部３６，３７がそれぞれ形成されている。延出部３２をつたって流れる雨水は、通常、第３延出部３５の下端から軒樋２０内に落下する。
【００３０】
第１延出部３３は、軒先水切り３０を構成する金属板（以下、単に金属板という場合がある）を下方に折り曲げて形成され、水平方向よりも鉛直方向に長く延びている。本実施形態では、各延出部の中で第１延出部３３が最も鉛直方向および水平方向に長く、最大の面積を有する。第１延出部３３は、その全体が軒先面戸１０の直下に位置している。すなわち、第１延出部３３の軒先面戸１０によってカバーされる部分には風が直接あたり難い。このため、第１延出部３３の長さをできるだけ長くすることで、風の影響を低減しながら、延出部３２を軒樋２０側に長く延ばすことができる。
【００３１】
第１延出部３３の棟側端部には、基部３１に対して略垂直な当接部３９が形成されることが好ましい。当接部３９は、野地板２の端面に沿って配置され、軒先水切り３０を野地板２に固定する際の位置合わせに使用される。また、当接部３９により基部３１と第１延出部３３との間に形成される段差によって、軒先面戸１０と軒先水切り３０との間に隙間ができ、凹凸屋根材３の空間３ｄと連通する通気孔３ｅが確保される。当接部３９の長さは、例えば野地板２の厚みの１／４〜１／２程度である。
【００３２】
第１延出部３３は、当接部３９の下端から軒先面戸１０と略平行に延び、鍔部１５と接触しない範囲で下方に小さく折り曲げられている。軒先水切り３０には、基部３１と第１延出部３３の境界に折曲部３８が形成され、第１延出部３３の棟側部分に折曲部４０，４１がそれぞれ形成されている。本実施形態では、金属板を下方に略直角に折り曲げて折曲部３８が形成され、当接部３９の下端となる折曲部４０が金属板を上方に略直角に折り曲げて形成される。また、折曲部４１は、面戸部１２の付け根と鉛直方向に重なる位置またはその近傍に形成される。第１延出部３３の下端（先端）は、鍔部１５の先端よりも鼻隠し４側に位置する。
【００３３】
第２延出部３４は、第１延出部３３の下端から、水平方向に沿うように軒樋２０の先端２０ａ側に延びている。第２延出部３４は、水平方向に真っ直ぐ延びていてもよいが、雨水がスムーズに流れるように鉛直下方にやや傾斜していることが好ましい。ただし、第２延出部３４は、鉛直方向よりも水平方向に長く延びることが好ましい。この場合、水平方向に吹く横風の影響を抑えながら、延出部３２を軒樋２０の幅方向中央側に、或いはより先端２０ａ側に延ばすことができる。
【００３４】
第２延出部３４は、水平方向において、軒先面戸１０の鍔部１５の先端の位置を超えて軒樋２０の先端２０ａ側（建造物の外側）に延びることが好ましい。すなわち、第２延出部３４の先端は、鍔部１５の先端よりも鼻隠し４から離れた位置にあり、図２に示す例では、軒樋２０の幅方向中央部の直上に位置する。第１延出部３３と第２延出部３４の境界には、折曲部３６が形成されている。折曲部３６は、金属板を上方に折り曲げて形成される。第１延出部３３の上面と第２延出部３４の上面とがなす角度は、鈍角であることが好ましく、例えば９５°〜１２０°である。
【００３５】
第３延出部３５は、第２延出部３４の先端（下端）から、鉛直方向に沿うように軒樋２０側に延びている。なお、第３延出部３５の先端は、安全性を考慮して、鼻隠し４側に折り曲げられている。第３延出部３５は、鉛直方向に真っ直ぐ延びていてもよく、軒樋２０の先端２０ａ側にやや傾斜していてもよい。第３延出部３５は、水平方向よりも鉛直方向に長く延びることが好ましい。第３延出部３５を設けることで、延出部３２の下端を軒樋２０に近づけることができ、雨水を軒樋２０内に導くことが容易になる。
【００３６】
第２延出部３４と第３延出部３５の境界には、折曲部３７が形成されている。折曲部３７は、金属板を下方に折り曲げて形成される。第３延出部３５は、第１延出部３３よりも、第２延出部３４に対して略垂直に近い角度で形成されている。本実施形態では、第３延出部３５が鉛直方向に略沿って延び、第２延出部３４の先端と第３延出部３５の先端とが鉛直方向に略並んでいる。なお、第３延出部３５の先端は下端でもあり、第３延出部３５の下端（先端）は延出部３２の下端（先端）となる。
【００３７】
第３延出部３５の先端、すなわち延出部３２の先端は、水平方向において軒先面戸１０の鍔部１５の先端よりも軒樋２０の先端２０ａ側に位置する。延出部３２の先端から鼻隠し４までの水平方向に沿った長さＤ２は、軒樋２０の先端２０ａから鼻隠し４までの水平方向に沿った長さＤ１の１／４以上であることが好ましい。また、第３延出部３５の下端から軒樋２０の後壁２３の上端までの鉛直方向に沿った長さは、例えば軒樋２０の上幅Ｗより短く、一例としては上幅Ｗの３／４以下である。
【００３８】
ただし、軒樋２０は軒先水切り３０の設置後に取り付けられるため、軒樋２０の施工の邪魔にならない範囲で軒先水切り３０を設置することが好ましい。長さＤ２の好適な一例は、長さＤ１の１／４〜１／２である。第３延出部３５の下端から軒樋２０の後壁２３の上端までの鉛直方向に沿った長さの好適な一例は、軒樋２０の上幅Ｗの１／４〜３／４である。
【００３９】
以上のように、上述の構成を備えた軒先水切り３０によれば、風が強いときでも軒樋２０に雨水を導くことが容易で、かつ風に強い軒先構造５を提供できる。図２に示すように、軒先水切り３０は、第１延出部３３の下端から更に延びる第２延出部３４および第３延出部３５を有し、延出部３２が軒先面戸１０の先端を超えて軒樋２０の幅方向中央部の直上まで張り出している。したがって、図２の矢印で示すように、延出部３２をつたって流れ延出部３２の下端から落下する雨水は、横風によって鼻隠し４側に飛散したとしても軒樋２０内に落下する。
【００４０】
一方、図５に例示する従来の軒先構造１００では、軒先水切り１０１の延出部１０２の長さが短いため、雨水が横風によって鼻隠し４側に飛散すると、軒樋２０から外れて軒樋２０と鼻隠し４の間から落下し易い。この場合、鼻隠し４が汚れ易いという問題もある。延出部１０２の先端は、軒先面戸１０の鍔部１５の先端よりも鼻隠し４側に位置し、また延出部１０２の下端から軒樋２０の上端までの鉛直方向の距離も長いため、風が強いと雨水が軒樋２０から外れ易くなる。しかし、単純に延出部１０２の長さを長くすると、横風を受ける面積が大きくなり、風に対する強度が問題となり得る。なお、軒先構造１００は、軒先水切り１０１の延出部１０２以外は、軒先構造５と同じ構成である。
【００４１】
軒先構造５では、軒先水切り３０を構成する金属板を折り曲げて第２延出部３４および第３延出部３５を形成し、軒先水切り１０１よりも延出部３２を長く延ばすことにより、風が強いときでも軒樋に雨水を落下させることが容易で、かつ風に強い構造となる。軒先水切り３０は、横風を受ける面積を抑えながら、鉛直下方および水平方向外側に長く延びている。なお、第３延出部３５の下に、更に複数の延出部（例えば、第４および第５延出部）が形成されてもよい。
【符号の説明】
【００４２】
１  屋根、２  野地板、３  凹凸屋根材、３ａ  凸部、３ｂ  凹部、３ｃ  軒側開口、３ｄ  空間、３ｅ  通気孔、４  鼻隠し、４ａ  板金、５  軒先構造、６  のぼり木、７  けらば水切り、１０  軒先面戸、１１  基板部、１２  面戸部、１３  爪部、１４  凸部、１５  鍔部、１６  開口部、１７，２５  ネジ、２０  軒樋、２０ａ  先端、２１  底板、２２  前壁、２３  後壁、２４  固定金具、３０  軒先水切り、３１  基部、３２  延出部、３３  第１延出部、３４  第２延出部、３５  第３延出部、３６，３７，３８，４０，４１  折曲部、３９  当接部
【図１】
2019007234.tif 000003
【図２】
2019007234.tif 000004
【図３】
2019007234.tif 000005
【図４】
2019007234.tif 000006
【図５】
2019007234.tif 000007